(57)【特許請求の範囲】
【請求項１】
リストを表示する表示部と、
前記表示部に対して設けられ、ユーザーがタッチしているタッチ位置を検知するためのタッチパネル部と、
処理部と、を備え、
前記タッチパネル部は、前記表示部が前記リストを表示している最中に、タッチ後にタッチ位置を移動させてからタッチを解除する操作であるスクロール操作が行われることにより、前記リストをスクロールさせる旨を受け付け、
前記処理部は、前記スクロール操作時に最初にタッチされた位置である操作開始位置およびタッチが解除された位置である操作終了位置を判別するとともに、前記操作開始位置から予め定められた方向に延びる線と、前記操作開始位置および前記操作終了位置を互いに結ぶ線とがなす角度を、前記スクロール操作時におけるタッチ位置の移動方向であるスクロール操作方向の傾斜角度として算出し、
前記表示部は、前記スクロール操作が前記タッチパネル部に対して行われたとき、前記処理部が算出した前記スクロール操作方向の傾斜角度の大きさに応じて、前記リストをスクロールするときのスクロール幅が変化するように、予め定められた複数の角度範囲のうち前記スクロール操作方向の傾斜角度を含む角度範囲に対応付けられたスクロール幅で前記リストをスクロールし、
前記表示部は、前記予め定められた複数の角度範囲を視覚的に識別可能に示すガイド情報を表示し、
前記ガイド情報は、前記予め定められた複数の角度範囲を規定するように前記操作開始位置から複数方向に延びる矢印画像であることを特徴とする表示入力装置。
【請求項２】
前記リストにリストアップされる表示対象の合計数を判別し、前記リストにリストアップされる表示対象の合計数に基づき、前記予め定められた複数の角度範囲に対応付けるスクロール幅を算出する処理部を備えていることを特徴とする請求項１に記載の表示入力装置。
【請求項３】
請求項１または２に記載の表示入力装置を備えていることを特徴とする画像形成装置。
【発明の詳細な説明】
【技術分野】
【０００１】
本発明は、表示入力装置および画像形成装置に関する。
【背景技術】
【０００２】
従来、コピー機能、スキャン機能およびファックス機能などに加えて、ボックス機能を搭載した画像形成装置（複合機）が知られている。なお、ボックス機能というのは、予め登録されたボックスと称される保存領域に画像データを蓄積したり、蓄積した画像データに基づく画像を印刷したりする機能である。そして、画像形成装置には、機能の選択指示や設定指示などを受け付けるための表示入力装置が備えられるのが一般的である。
【０００３】
画像形成装置の表示入力装置には、ハードキーなどの他に、タッチパネル付きの表示部が設けられる場合がある。このような表示入力装置では、各種指示を受け付けるためのソフトキーを表示部に表示し、タッチパネルの出力に基づき、タッチパネルを介してタッチされたソフトキーを検知する。
【０００４】
たとえば、表示入力装置は、ボックス機能が使用機能としてユーザーによって選択された場合、登録済みのボックスに保存された画像データに関する情報を羅列したリストを表示し、ユーザーから所望の画像データの指定指示を受け付ける。たとえば、ユーザーは、所望の画像データを指定するとき、所望の画像データに関する情報の表示位置をタッチパネルを介してタッチする。これにより、表示入力装置は、タッチ位置に表示していた情報に対応する画像データがユーザーによって指定されたと判断する。
【０００５】
ところで、リストの表示範囲に一度に羅列することができる情報数には限りがある。このため、リストの表示範囲に一度に羅列することができないほどの情報がリストの表示対象として存在する場合には、リストをスクロールしてリストの表示範囲を切り替えなければならない。そこで、リストの表示範囲を切り替えるためのハードキーを表示入力装置に別途設けることがある（たとえば、特許文献１参照）。あるいは、リストの表示範囲を切り替えるためのソフトキーをリストと共に表示することもある。これにより、ユーザーは、スクロール操作（リストの表示範囲を切り替えるためのハードキーを押下する操作、または、リストの表示範囲を切り替えるためのソフトキーの表示位置をタッチする操作）を行うことで、リストをスクロールすることができる。
【先行技術文献】
【特許文献】
【０００６】
【特許文献１】特開平１１−１４３３０１号公報
【発明の概要】
【発明が解決しようとする課題】
【０００７】
表示入力装置は、リストを表示しているとき、スクロール操作を受け付けると、予め定められた固定的なスクロール幅でリストをスクロールする。たとえば、表示入力装置は、スクロール操作を１回受け付けると、リストの表示範囲を１ページ分ずらす。
【０００８】
ここで、非常に多くの情報がリストの表示対象として存在すれば、その分、リストのページが増大する。この場合、ユーザーからすると、所望の情報がリストに表示されるまでに、スクロール操作を何回も繰り返さなければならないことがあり、煩わしく利便性が悪い。
【０００９】
本発明は、上記の課題を解決するためになされたものであり、表示部に表示されたリストのスクロール作業を行うユーザーの利便性を向上させることが可能な表示入力装置および画像形成装置を提供することを目的とする。
【課題を解決するための手段】
【００１０】
上記の目的を達成するために、本発明の表示入力装置は、リストを表示する表示部と、表示部に対して設けられ、ユーザーがタッチしているタッチ位置を検知するためのタッチパネル部と、を備えている。そして、タッチパネル部は、表示部がリストを表示している最中に、タッチ後にタッチ位置を移動させてからタッチを解除する操作であるスクロール操作が行われることにより、リストをスクロールさせる旨を受け付ける。また、表示部は、スクロール操作がタッチパネル部に対して行われたとき、スクロール操作時におけるタッチ位置の移動方向であるスクロール操作方向に応じて、リストをスクロールするときのスクロール幅を変化させる。
【００１１】
本発明の構成では、上記のように、表示部は、スクロール操作（タッチ後にタッチ位置を移動させてからタッチを解除する操作）がタッチパネル部に対して行われたとき、スクロール操作時におけるタッチ位置の移動方向であるスクロール操作方向に応じて、リストをスクロールするときのスクロール幅を変化させる。すなわち、本発明の構成では、リストをスクロールするときに、スクロール操作方向（スクロール操作時におけるタッチ位置の移動方向）を調整することにより、スクロール幅を適宜変化させることができる。たとえば、１回のスクロール操作で、リストの表示範囲を複数ページ分まとめてスクロールすることができるようになる。これにより、ユーザーからすると、非常に多くの情報がリストの表示対象として存在していたとしても、所望の情報を速やかにリストに表示させることができるので、利便性が良い。また、スクロール操作方向を調整するだけで、リストをスクロールするときのスクロール幅を変化させることができるので、操作が簡単で分かり易い。
【００１２】
上記の構成において、好ましくは、スクロール操作時に最初にタッチされた位置である操作開始位置およびタッチが解除された位置である操作終了位置を判別するとともに、操作開始位置から予め定められた方向に延びる線と、操作開始位置および操作終了位置を互いに結ぶ線とがなす角度であるスクロール操作方向の傾斜角度を算出する処理部を備え、表示部は、スクロール操作がタッチパネル部に対して行われたとき、処理部が算出したスクロール操作方向の傾斜角度の大きさに応じて、リストをスクロールするときのスクロール幅を変化させる。これにより、容易に、リストをスクロールするときのスクロール幅をスクロール操作方向に応じた値にすることができる。
【００１３】
上記の構成において、好ましくは、表示部は、スクロール操作がタッチパネル部に対して行われたとき、予め定められた複数の角度範囲のうちスクロール操作方向の傾斜角度を含む角度範囲に対応付けられたスクロール幅でリストをスクロールする。これにより、容易に、リストをスクロールするときのスクロール幅をスクロール操作方向の傾斜角度の大きさに応じて変化させることができる。
【００１４】
この場合、リストにリストアップされる表示対象の合計数を判別し、リストにリストアップされる表示対象の合計数に基づき、予め定められた複数の角度範囲に対応付けるスクロール幅を算出する処理部を備えていてもよい。たとえば、リストにリストアップされる表示対象の合計数が多いほど、スクロール操作方向の傾斜角度が大きいときのスクロール幅を大きくする。これにより、ユーザーの利便性が向上する。
【００１５】
また、予め定められた複数の角度範囲とスクロール幅とが対応付けられた構成においては、表示部は、予め定められた複数の角度範囲を視覚的に識別可能に示すガイド情報を表示することが好ましい。これにより、スクロール操作時の操作性を向上させることができる（スクロール操作時にタッチ位置をどの方向に移動させればよいかが分かり易い）。
【００１６】
本発明の画像形成装置は、上記の表示入力装置を備えている。このような画像形成装置では、リストのスクロール作業を行うユーザーの利便性を向上させることができる。
【発明の効果】
【００１７】
以上のように、本発明によれば、リストのスクロール作業を行うユーザーの利便性を向上させることが可能な表示入力装置および画像形成装置を得ることができる。
【図面の簡単な説明】
【００１８】
【図１】本発明の一実施形態による表示入力装置を備えた画像形成装置の概略図
【図２】図１に示した画像形成装置の表示入力装置の詳細図
【図３】図１に示した画像形成装置のハードウェア構成を示したブロック図
【図４】図１に示した画像形成装置の表示入力装置に表示されるメインメニュー画面の一例を示した図
【図５】図１に示した画像形成装置の表示入力装置に表示されるコピー機能の設定画面の一例を示した図
【図６】図１に示した画像形成装置の表示入力装置に表示されるボックス機能の設定画面（ボックスに関する情報を表示対象とするリストが配された画面）の一例を示した図
【図７】図１に示した画像形成装置の表示入力装置に表示されるボックス機能の設定画面（画像データに関する情報を表示対象とするリストが配された画面）の一例を示した図
【図８】図１に示した画像形成装置の表示入力装置においてリストをスクロールするときの操作を説明するための図
【図９】図８に示した操作が行われたときのスクロール幅を説明するための図
【図１０】図１に示した画像形成装置の表示入力装置においてスクロール操作方向の傾斜角度とスクロール幅との関係を説明するための図
【図１１】図１に示した画像形成装置の表示入力装置においてリストをスクロールするときの操作を説明するための図
【図１２】図１１に示した操作が行われたときのスクロール幅を説明するための図
【図１３】図１に示した画像形成装置の表示入力装置においてリストをスクロールするときの操作を説明するための図
【図１４】図１３に示した操作が行われたときのスクロール幅を説明するための図
【図１５】図１に示した画像形成装置の表示入力装置においてリストをスクロールするときの操作を説明するための図
【図１６】図１５に示した操作が行われたときのスクロール幅を説明するための図
【図１７】図１に示した画像形成装置の表示入力装置においてリストをスクロールするときの操作を説明するための図
【図１８】図１７に示した操作が行われたときのスクロール幅を説明するための図
【図１９】図１に示した画像形成装置の表示入力装置に表示されるボックス機能の設定画面（リストと共にガイド情報が配された画面）の一例を示した図
【図２０】図１に示した画像形成装置の表示入力装置においてリストをスクロールするときの動作を説明するためのフローチャート
【発明を実施するための形態】
【００１９】
（画像形成装置の全体構成）
以下、コピー機能、送信（スキャン）機能、ファックス機能およびボックス機能などの複数種の機能の実行が可能な画像形成装置（複合機）を例にとって説明する。なお、ボックス機能というのは、予め登録されたボックスと称される保存領域（たとえば、後述する記憶部１１３に設けられたフォルダ）に画像データを蓄積したり、蓄積した画像データに基づく画像を印刷したりする機能である。
【００２０】
図１に示すように、本実施形態の画像形成装置１００は、操作パネル１０１（「表示入力装置」に相当）、原稿搬送部１０２Ａ、画像読取部１０２Ｂ、給紙部１０３、用紙搬送部１０４、画像形成部１０５、定着部１０６および後処理部１０７などを備える。
【００２１】
操作パネル１０１は、たとえば、装置正面側に配置される。この操作パネル１０１は、図２に示すように、表示面上にタッチパネル部１１が設けられた液晶表示部１２（「表示部」に相当）を有する。タッチパネル部１１は、ユーザーがタッチした複数のタッチ位置を同時に検知可能なマルチタッチパネルである。液晶表示部１２は、ユーザーから入力操作を受け付けるためのソフトキーやメッセージなどを配した画面を表示する。なお、液晶表示部１２に表示される画面については、後に詳細に説明する。そして、液晶表示部１２の表示面を覆うタッチパネル部１１は、ユーザーが指定したソフトキー（タッチパネル部１１を介してユーザーがタッチしたソフトキー）を検知するために設けられている。また、操作パネル１０１には、ハードキーとして、数値入力を受け付けるためのテンキー１３や、機能実行の開始指示を受け付けるためのスタートキー１４などが設けられている。
【００２２】
図１に戻って、原稿搬送部１０２Ａは、画像読取部１０２Ｂの装置背面側に設けられた回転軸（図示せず）を支点として開閉可能に取り付けられている。この原稿搬送部１０２Ａは、原稿セットトレイ２１にセットされた原稿Ｄを引き出し、搬送読取用コンタクトガラス２０ａの上方に送って原稿排出トレイ２２に排出する。また、原稿搬送部１０２Ａは、載置読取用コンタクトガラス２０ｂに載置された原稿Ｄを押える機能も有する。
【００２３】
画像読取部１０２Ｂは、原稿Ｄを読み取って画像データを生成する。この画像読取部１０２Ｂには、図示しないが、露光ランプ、ミラー、レンズおよびイメージセンサーなどの光学系部材が設けられている。そして、画像読取部１０２Ｂは、搬送読取用コンタクトガラス２０ａを通過する原稿Ｄまたは載置読取用コンタクトガラス２０ｂに載置される原稿Ｄに光を照射し、その原稿Ｄからの反射光を受けたイメージセンサーの出力値をＡ／Ｄ変換することによって、画像データを生成する。これにより、画像読取部１０２Ｂによる原稿Ｄの読み取り動作（スキャン）によって得られた画像データに基づく画像を印刷することができる。また、スキャンによって得られた画像データを蓄積することもできる。
【００２４】
給紙部１０３は、用紙Ｐを収容するカセット３１を複数有し、それら複数のカセット３１に収容された用紙Ｐを用紙搬送部１０４に供給する。この給紙部１０３には、収容された用紙Ｐを引き出すピックアップローラー３２や、用紙Ｐの重送を抑制するための分離ローラー対３３が設けられている。
【００２５】
用紙搬送部１０４は、画像形成装置１００の内部において用紙Ｐを搬送する。具体的に言うと、給紙部１０３から供給された用紙Ｐは、用紙搬送部１０４が搬送することによって、画像形成部１０５および定着部１０６をこの順番で通過する。この用紙搬送部１０４には、用紙Ｐを搬送するための複数の搬送ローラー対４１が設けられている。さらに、用紙Ｐを画像形成部１０５の手前で待機させ、タイミングを合わせて画像形成部１０５に送り出すレジストローラー対４２も設けられている。
【００２６】
画像形成部１０５は、画像データに基づきトナー像を形成し、そのトナー像を用紙Ｐに転写する。画像形成部１０５は、感光体ドラム５１、帯電装置５２、露光装置５３、現像装置５４、転写ローラー５５およびクリーニング装置５６などを含んでいる。
【００２７】
トナー像の形成プロセスおよびトナー像の転写プロセスとしては、まず、感光体ドラム５１を回転駆動させ、その感光体ドラム５１の表面を帯電装置５２で所定電位に帯電させる。また、露光装置５３は、画像データに基づき光ビームＬを出力し、感光体ドラム５１の表面を走査露光する。これにより、感光体ドラム５１の表面に静電潜像を形成する。現像装置５４は、感光体ドラム５１の表面に形成された静電潜像にトナーを供給して現像する。
【００２８】
転写ローラー５５は、感光体ドラム５１の表面に圧接して回転可能となっている。さらに、転写ローラー５５には所定の電圧が印加されている。この状態で、レジストローラー対４２がタイミングを計り、転写ローラー５５と感光体ドラム５１との間に用紙Ｐを進入させる。これによって、感光体ドラム５１の表面のトナー像が用紙Ｐに転写される。そして、トナー像の転写プロセスが終わると、クリーニング装置５６は、感光体ドラム５１の表面に残留するトナーなどを除去する。
【００２９】
定着部１０６は、用紙Ｐに転写されたトナー像を加熱・加圧して定着させる。この定着部１０６は、発熱源を内蔵する定着ローラー６１と、定着ローラー６１に圧接される加圧ローラー６２とを含んでいる。そして、トナー像が転写された用紙Ｐは、定着ローラー６１と加圧ローラー６２との間を通過することで、加熱・加圧される。これにより、用紙Ｐにトナー像が定着され、印刷が完了する。
【００３０】
後処理部１０７は、定着部１０６から印刷済みの用紙Ｐを受け取り、仕分け処理、ステープル処理およびパンチ処理などの後処理を行う。そして、後処理部１０７は、印刷済みの用紙Ｐに対して後処理を施した後、用紙Ｐを排出トレイ７１に排出する。
【００３１】
（画像形成装置のハードウェア構成）
画像形成装置１００は、図３に示すように、主制御部１１０を備える。主制御部１１０は、中央演算処理装置であるＣＰＵ１１１、画像処理部１１２および記憶部１１３などを含む。画像処理部１１２は、画像処理専用のＡＳＩＣやメモリーなどからなっており、画像データに対して各種画像処理（拡大／縮小、濃度変換およびデータ形式変換など）を施す。記憶部１１３は、ＲＯＭ、ＲＡＭおよびＨＤＤなどからなり、たとえば、機能の実行に必要なプログラムおよびデータがＲＯＭに記憶され、それらプログラムおよびデータがＲＡＭに展開される。
【００３２】
主制御部１１０は、原稿搬送部１０２Ａ、画像読取部１０２Ｂ、給紙部１０３、用紙搬送部１０４、画像形成部１０５、定着部１０６および後処理部１０７などと接続される。そして、主制御部１１０は、記憶部１１３に記憶されたプログラムおよびデータに基づき、全体制御、画像処理制御、および、各種回転体を回転させるモーターの駆動制御などを行う。
【００３３】
主制御部１１０には、操作パネル１０１も接続される。操作パネル１０１は、主制御部１１０と接続される表示制御部１５（「処理部」に相当）を含む。この表示制御部１５は、ＣＰＵなどからなり、主制御部１１０から指示を受け、操作パネル１０１の表示動作を制御する。たとえば、表示制御部１５は、液晶表示部１２に表示されたソフトキーがタッチパネル部１１を介してユーザーによってタッチされると、タッチパネル部１１の出力に基づきタッチ位置の座標を検知する。すなわち、表示制御部１５は、ユーザーがタッチパネル部１１を介してタッチしたソフトキー（ユーザーが指定したソフトキー）を検知する。この表示制御部１５には、記憶部１６が接続される。そして、タッチパネル部１１の出力とタッチ位置の座標との対応を示すデータは、記憶部１６に記憶される。
【００３４】
また、主制御部１１０は、通信部１２０と接続される。通信部１２０は、たとえば、外部のコンピューター２００（パーソナルコンピューターやサーバーなど）とネットワークを介して通信可能に接続される。これにより、コンピューター２００から送信された画像データに基づく画像を印刷することができ、スキャンによって得られた画像データをコンピューター２００に送信することもできる。また、通信部１２０にモデムなどを内蔵してもよく、この場合、電話回線などのネットワークを介して、外部のファックス装置３００とファックス通信を行うことができる。
【００３５】
（操作パネルに表示される初期画面）
【００３６】
操作パネル１０１は、主電源が投入されると、図４に示すようなメインメニュー画面ＭＳを初期画面として表示する。メインメニュー画面ＭＳには、複数種の機能のうちから使用する機能の選択指示をユーザーから受け付けるため、複数種の機能にそれぞれ対応する複数のソフトキーＫが配される。
【００３７】
このようなメインメニュー画面ＭＳの表示中に、複数のソフトキーＫのうちのいずれかの表示位置がタッチパネル部１１を介してユーザーによってタッチされたとき、操作パネル１０１は、タッチされた位置に表示していたソフトキーＫをユーザーが指定したと判断する。たとえば、ユーザーは、所望のソフトキーＫの表示位置をタッチした後にタッチを解除する操作（タップ操作）を行うことで、所望のソフトキーＫを指定することができる。その後、操作パネル１０１は、指定のソフトキーＫに対応する機能の設定指示を受け付けるための設定画面を表示する。
【００３８】
具体的には、ソフトキーＫ１の表示位置がタッチパネル部１１を介してユーザーによってタッチ（タップ）されると、操作パネル１０１は、図５に示すように、コピー機能の設定指示を受け付けるための設定画面ＳＣを表示する。コピー機能の設定画面ＳＣには、コピー機能に関する複数の設定項目にそれぞれ対応する複数の設定キーＦＫが配される。図５には、一例として、用紙選択、縮小／拡大、濃度、両面／分割およびページ集約の各設定項目にそれぞれ対応する複数の設定キーＦＫが配された設定画面ＳＣを図示している。複数の設定キーＦＫのそれぞれには、対応する設定項目の現時点の設定値が表記される。そして、操作パネル１０１は、複数の設定キーＦＫのうちのいずれかがタッチパネル部１１を介してユーザーによってタッチされ指定されると、指定の設定キーＦＫに対応する設定項目の設定値を入力するための画面（図示せず）を表示する。これにより、ユーザーは、コピー機能に関する複数の設定項目のそれぞれの現時点の設定値を認識することができるとともに、それら各設定値を変更することもできる。
【００３９】
図４に戻って、ソフトキーＫ２の表示位置がタッチパネル部１１を介してユーザーによってタッチされると、操作パネル１０１は、送信（スキャン）機能の設定指示を受け付けるための設定画面（図示せず）を表示する。この送信（スキャン）機能の設定画面では、スキャンによって得られた画像データなどのデータの送信先の設定を行うことができる。また、ソフトキーＫ３の表示位置がタッチパネル部１１を介してユーザーによってタッチされると、操作パネル１０１は、ファックス機能の設定指示を受け付けるための設定画面（図示せず）を表示する。このファックス機能の設定画面では、ファックス番号の入力を行うことができる。
【００４０】
また、ソフトキーＫ４〜Ｋ６のうちのいずれかの表示位置がタッチパネル部１１を介してユーザーによってタッチされると、操作パネル１０１は、ボックス機能の設定指示を受け付けるための設定画面ＳＢ（図６参照）を表示する。なお、ボックス機能の設定画面ＳＢについては、後に詳細に説明する。
【００４１】
ところで、図４に示したメインメニュー画面ＭＳのソフトキーＫ４〜Ｋ６にそれぞれ対応する各ボックス機能のうち、ソフトキーＫ４に対応するボックス機能は、スキャンによって得られた画像データを蓄積したり、蓄積した画像データに基づく画像を印刷したりする機能（ユーザーボックス機能）である。ソフトキーＫ５に対応するボックス機能は、画像データをコンピューター２００から画像形成装置１００に送信して蓄積したり、その蓄積した画像データに基づく画像を印刷したりする機能（ジョブボックス機能）である。ソフトキーＫ６に対応するボックス機能は、通信部１２０が受信したファックスデータを蓄積したり、その蓄積したファックスデータに基づく画像を印刷したりする機能（ファックスボックス機能）である。
【００４２】
また、ソフトキーＫ７の表示位置がタッチパネル部１１を介してユーザーによってタッチされると、操作パネル１０１は、外部メモリーを利用した機能の設定指示を受け付けるための設定画面（図示せず）を表示する。外部メモリーを利用した機能というのは、外部メモリーに保存した画像データに基づく画像を印刷したり、外部メモリーに画像データを保存したりする機能のことである。
【００４３】
なお、ソフトキーＫ８はプログラム機能に対応するソフトキーＫであり、ソフトキーＫ８の表示位置がタッチパネル部１１を介してユーザーによってタッチされると、操作パネル１０１は、登録されたプログラムのうちから呼び出すプログラムの選択指示をユーザーから受け付けるためのプログラム選択画面（図示せず）を表示する。ところで、プログラム機能というのは、コピー機能や送信（スキャン）機能などに関する複数の設定項目のうち、ユーザーによって予め選択された１つ以上の設定項目（設定値）をプログラムとして登録しておく機能である。
【００４４】
（ボックス機能の設定画面）
ボックス機能の設定画面ＳＢには、図６に示すように、登録済みのボックスに関する情報（名前、使用者および使用量など）を羅列したリストＬ（ボックスリストＢＬ）が配される。たとえば、ユーザーは、スキャンによって得られた画像データをボックスに蓄積したいとき、所望のボックスに関する情報の表示位置をタッチパネル部１１を介してタッチすることで、所望のボックスを指定する（たとえば、指定したボックスの情報欄は表示色が反転する）。その後、ユーザーは、「文書保存」キーＢＫ１の表示位置をタッチパネル部１１を介してタッチし、続けてスキャンを実行する（スタートキー１４を押下する）ことによって、スキャンによって得られた画像データを指定したボックスに蓄積することができる。
【００４５】
また、ユーザーは、ボックスに保存された画像データに基づく画像を印刷したいとき、所望の画像データを保存するボックスを指定した後、「開く」キーＢＫ２の表示位置をタッチパネル部１１を介してタッチする。これにより、操作パネル１０１は、図７に示すようなダイアログボックスＤＢを表示する。このダイアログボックスＤＢには、指定したボックスに保存された画像データに関する情報（名前、日時およびサイズなど）を羅列したリストＬ（データリストＤＬ）が配される。そして、ユーザーは、所望の画像データに関する情報の表示位置をタッチパネル部１１を介してタッチすることで、所望の画像データを指定する。その後、ユーザーは、「印刷」キーＢＫ３の表示位置をタッチパネル部１１を介してタッチし、続けて印刷を実行する（スタートキー１４を押下する）ことによって、指定した画像データに基づく画像を印刷することができる。
【００４６】
（リストのスクロール）
図６および図７に示したように、ボックスに関する情報を表示対象とするボックスリストＢＬや画像データに関する情報を表示対象とする画像データリストＤＬでは、１ページ分の表示範囲に６件の情報を表示させることができる。しかし、７件以上の情報が表示対象として存在する場合もある。この場合、現時点で表示されている６件の情報以外の情報を表示させるためには、リストＬの表示範囲を切り替えなければならない。そこで、通常では、リストＬをスクロールする（リストＬの表示範囲を切り替える）ためのスクロールキーＳＫがリストＬと共に表示される。
【００４７】
このスクロールキーＳＫの表示位置をタッチする操作（図８参照）がタッチパネル部１１に対して行われると、液晶表示部１２は、リストＬの表示ページを現ページから次ページ（あるいは、前ページ）に切り替える。たとえば、液晶表示部１２は、スクロールキーＳＫの表示位置を１回タッチする操作がタッチパネル部１１に対して行われた場合には、図９に示すように、リストＬを１ページ分ずらして表示する（表示対象を６件分ずらして表示する）。すなわち、液晶表示部１２は、スクロールキーＳＫの表示位置を１回タッチする操作がタッチパネル部１１に対して行われる度に、表示ページを１ページ分ずつずらす。図９では、実際に表示されている情報と表示されていない情報とを区別するため、実際に表示されている情報にハッチングを付している。なお、以下の説明で参照する図面（図１２、図１４、図１６および図１８）についても同様である。
【００４８】
ここで、本実施形態では、液晶表示部１２がリストＬを表示しているとき、タッチ後にタッチ位置を移動させてからタッチを解除する操作であるスクロール操作（たとえば、パネル面を指ではらうようなタッチ操作（フリック操作））がタッチパネル部１１に対して行われた場合にも、リストＬをスクロールさせる。ただし、このようなスクロール操作がタッチパネル部１１に対して行われた場合には、スクロール操作時におけるタッチ位置の移動方向であるスクロール操作方向に応じて、リストＬをスクロールさせるときのスクロール幅を変化させる。なお、タッチパネル部１１は、予め定められた位置（スクロール操作受付位置）においてフリック操作が行われた場合には、そのフリック操作をスクロール操作として受け付けるが、スクロール操作受付位置以外の位置においてフリック操作が行われた場合には、そのフリック操作をスクロール操作として受け付けない。たとえば、スクロール操作受付位置は、一対のスクロールキーＳＫの間の位置である。
【００４９】
スクロール操作がタッチパネル部１１に対して行われると、表示制御部１５は、スクロール操作時に最初にタッチされた位置（操作開始位置）およびタッチが解除された位置（操作終了位置）を判別する。その後、表示制御部１５は、操作開始位置から予め定められた方向（垂直方向）に延びる線（基準線）と、操作開始位置および操作終了位置を互いに結ぶ線とがなす角度（鋭角側の角度）であるスクロール操作方向の傾斜角度を算出する。なお、表示制御部１５は、スクロール操作方向の傾斜角度を算出するとき、スクロール操作方向が上方向（斜め上方向を含む）であれば、操作開始位置から上方向に垂直に延びる線を基準線とし、スクロール操作方向が下方向（斜め下方向を含む）であれば、操作開始位置から下方向に垂直に延びる線を基準線とする。
【００５０】
そして、液晶表示部１２は、スクロール操作がタッチパネル部１１に対して行われたとき、表示制御部１５が算出したスクロール操作方向の傾斜角度の大きさに応じて、リストＬをスクロールするときのスクロール幅を変化させる。たとえば、液晶表示部１２は、スクロール操作がタッチパネル部１１に対して行われたとき、予め定められた複数の角度範囲のうちスクロール操作方向の傾斜角度を含む角度範囲に対応付けられたスクロール幅でリストＬをスクロールする。なお、スクロール操作方向が下方向（斜め下方向を含む）であれば、リストＬをスクロールアップし、スクロール操作方向が上方向（斜め上方向を含む）であれば、リストＬをスクロールダウンする。
【００５１】
ところで、予め定められた複数の角度範囲とスクロール幅とを対応付けたスクロール情報は、記憶部１６に予め記憶されている。たとえば、スクロール情報では、図１０に示すように、第１角度範囲Ｒ１（２０度未満）、第２角度範囲Ｒ２（２０度以上４０未満）、第３角度範囲Ｒ３（４０度以上６０度未満）および第４角度範囲Ｒ４（６０度以上）の４つの角度範囲Ｒ１〜Ｒ４のそれぞれに互いに異なるスクロール幅が対応付けられている。以下に、第１角度範囲Ｒ１〜第４角度範囲Ｒ４にそれぞれ対応するスクロール幅について、操作開始位置から下方向（斜め下方向を含む）にタッチ位置を移動させるスクロール操作を行う場合を例にとって説明する。
【００５２】
たとえば、図１１に示すように、スクロール操作方向（矢印Ａ１方向）の傾斜角度が第１角度範囲Ｒ１に含まれていた場合には、液晶表示部１２は、リストＬの表示対象を１件分スクロールアップして表示する（図１２参照）。また、図１３に示すように、スクロール操作方向（矢印Ａ２方向）の傾斜角度が第２角度範囲Ｒ２に含まれていた場合には、液晶表示部１２は、リストＬの表示対象を５件分スクロールアップして表示する（図１４参照）。また、図１５に示すように、スクロール操作方向（矢印Ａ３方向）の傾斜角度が第３角度範囲Ｒ３に含まれていた場合には、液晶表示部１２は、リストＬの表示対象を１０件分スクロールアップして表示する（図１６参照）。また、図１７に示すように、スクロール操作方向（矢印Ａ４方向）の傾斜角度が第４角度範囲Ｒ４に含まれていた場合には、液晶表示部１２は、リストＬの表示対象を１００件分スクロールアップして表示する（図１８参照）。
【００５３】
なお、リストＬにリストアップされる表示対象の合計数を判別し、リストＬにリストアップされる表示対象の合計数に応じて、第１角度範囲Ｒ１〜第４角度範囲Ｒ４にそれぞれ対応付けるスクロール幅を変動させてもよい。この場合には、たとえば、リストＬにリストアップされる表示対象の数が増減したときに、第１角度範囲Ｒ１〜第４角度範囲Ｒ４にそれぞれ対応付けられるスクロール幅が表示制御部１５によって算出される。たとえば、リストＬにリストアップされる表示対象の合計数が多いほど、スクロール操作方向の傾斜角度が大きいときのスクロール幅を大きくする。そして、液晶表示部１２は、スクロール操作がタッチパネル部１１に対して行われたとき、第１角度範囲Ｒ１〜第４角度範囲Ｒ４のうちスクロール操作方向の傾斜角度を含む角度範囲に対応付けられたスクロール幅（表示制御部１５が算出したスクロール幅）でリストＬをスクロールする。
【００５４】
また、図１９に示すように、第１角度範囲Ｒ１〜第４角度範囲Ｒ４を視覚的に識別可能に示すガイド情報Ｇを表示させてもよい。たとえば、ガイド情報Ｇは矢印画像である。
【００５５】
（リストをスクロールするときの流れ）
以下に、図２０に示すフローチャートを参照し、リストＬをスクロールするときの流れについて説明する。
【００５６】
まず、図２０のフローチャートのスタート時点では、液晶表示部１２がリストＬを表示しているとする。そして、スクロール操作受付位置をタッチする操作がタッチパネル部１１に対して行われたとき、図２０のフローチャートがスタートする。
【００５７】
ステップＳ１において、表示制御部１５は、タッチされた位置（操作開始位置）を判別する。なお、このとき、ガイド情報Ｇを表示してもよい。
【００５８】
ステップＳ２において、表示制御部１５は、タッチ後にタッチ位置を移動させてからタッチを解除する操作（スクロール操作）がタッチパネル部１１に対して行われたか否かを判断する。判断の結果、スクロール操作が行われていれば、ステップＳ３に移行する。
【００５９】
ステップＳ３に移行すると、表示制御部１５は、タッチが解除された位置（操作終了位置）を判別する。ステップＳ４において、表示制御部１５は、操作開始位置から予め定められた方向に延びる線と、操作開始位置および操作終了位置を互いに結ぶ線とがなす角度であるスクロール操作方向の傾斜角度を算出する。
【００６０】
ステップＳ５において、表示制御部１５は、予め定められた角度範囲のうちスクロール操作方向の傾斜角度を含む角度範囲に対応付けられたスクロール幅を算出する。ステップＳ６において、表示制御部１５は、リストＬに表示する情報を確定する。ステップＳ７において、表示制御部１５は、液晶表示部１２の表示動作を制御し、確定した情報をリストＬに表示させる。すなわち、液晶表示部１２は、予め定められた角度範囲のうちスクロール操作方向の傾斜角度を含む角度範囲に対応付けられたスクロール幅でリストＬをスクロールする。
【００６１】
なお、ステップＳ２において、スクロール操作が行われていない場合には、ステップＳ８に移行する。ステップＳ８に移行すると、表示制御部１５は、タッチパネル部１１に対するタッチがスクロール操作が行われる前に解除されたか否かを判断する。判断の結果、タッチが解除されていれば、リストＬをスクロールせず、そのまま終了する。一方で、タッチが解除されていない場合には、ステップＳ２に戻る。
【００６２】
本実施形態では、上記のように、液晶表示部１２（表示部）は、スクロール操作（タッチ後にタッチ位置を移動させてからタッチを解除する操作）がタッチパネル部１１に対して行われたとき、スクロール操作時におけるタッチ位置の移動方向であるスクロール操作方向に応じて、リストＬをスクロールするときのスクロール幅を変化させる。すなわち、本実施形態では、リストＬをスクロールするときに、スクロール操作方向（スクロール操作時におけるタッチ位置の移動方向）を調整することにより、スクロール幅を適宜変化させることができる。たとえば、１回のスクロール操作で、リストＬの表示範囲を複数ページ分まとめてスクロールすることができるようになる。これにより、ユーザーからすると、非常に多くの情報がリストＬの表示対象として存在していたとしても、所望の情報を速やかにリストＬに表示させることができるので、利便性が良い。また、スクロール操作方向を調整するだけで、リストＬをスクロールするときのスクロール幅を変化させることができるので、操作が簡単で分かり易い。
【００６３】
また、本実施形態では、上記のように、表示制御部１５（処理部）は、スクロール操作時に最初にタッチされた位置である操作開始位置およびタッチが解除された位置である操作終了位置を判別するとともに、操作開始位置から予め定められた方向に延びる線と、操作開始位置および操作終了位置を互いに結ぶ線とがなす角度であるスクロール操作方向の傾斜角度を算出する。そして、液晶表示部１２は、スクロール操作がタッチパネル部１１に対して行われたとき、表示制御部１５が算出したスクロール操作方向の傾斜角度の大きさに応じて、リストＬをスクロールするときのスクロール幅を変化させる。これにより、容易に、リストＬをスクロールするときのスクロール幅をスクロール操作方向に応じた値にすることができる。
【００６４】
また、本実施形態では、上記のように、液晶表示部１２は、スクロール操作がタッチパネル部１１に対して行われたとき、予め定められた複数の角度範囲のうちスクロール操作方向の傾斜角度を含む角度範囲に対応付けられたスクロール幅でリストをスクロールする。これにより、容易に、リストＬをスクロールするときのスクロール幅をスクロール操作方向の傾斜角度の大きさに応じて変化させることができる。
【００６５】
この場合、リストＬにリストアップされる表示対象の合計数を判別し、リストＬにリストアップされる表示対象の合計数に基づき、予め定められた複数の角度範囲に対応付けるスクロール幅を算出してもよい。たとえば、リストＬにリストアップされる表示対象の合計数が多いほど、スクロール操作方向の傾斜角度が大きいときのスクロール幅を大きくする。これにより、ユーザーの利便性が向上する。
【００６６】
また、この場合には、予め定められた複数の角度範囲を視覚的に識別可能に示すガイド情報Ｇを表示してもよい。これにより、スクロール操作時の操作性を向上させることができる（スクロール操作時にタッチ位置をどの方向に移動させればよいかが分かり易い）。
【００６７】
今回開示された実施形態は、すべての点で例示であって、制限的なものではないと考えられるべきである。本発明の範囲は、上記実施形態の説明ではなく特許請求の範囲によって示され、さらに、特許請求の範囲と均等の意味および範囲内でのすべての変更が含まれる。
【符号の説明】
【００６８】
１１  タッチパネル部
１２  液晶表示部（表示部）
１５  表示制御部（処理部）
１６  記憶部
Ｇ  ガイド情報
Ｌ  リスト
【図１】
0005659193.tif 000002
【図２】
0005659193.tif 000003
【図３】
0005659193.tif 000004
【図４】
0005659193.tif 000005
【図５】
0005659193.tif 000006
【図６】
0005659193.tif 000007
【図７】
0005659193.tif 000008
【図８】
0005659193.tif 000009
【図９】
0005659193.tif 000010
【図１０】
0005659193.tif 000011
【図１１】
0005659193.tif 000012
【図１２】
0005659193.tif 000013
【図１３】
0005659193.tif 000014
【図１４】
0005659193.tif 000015
【図１５】
0005659193.tif 000016
【図１６】
0005659193.tif 000017
【図１７】
0005659193.tif 000018
【図１８】
0005659193.tif 000019
【図１９】
0005659193.tif 000020
【図２０】
0005659193.tif 000021